(57)【要約】【課題】  ユーザーの温水使用の際、設定された温度で一定に温水を供給できる温水供給装置を提供する。【解決手段】  一側には給水パイプが連結され、他側には出水パイプが連結され、内側には給水量を感知するための水位センサーが設けられ、貯蔵水温度センサーが設けられた水槽と、該水槽の内側に設けられて前記貯蔵水の温度を上昇させる加熱ヒーターと該加熱ヒーターに水を噴射する内部水噴射口が形成された水噴射パイプとを備えるヒーター部と、給水パイプに設けられた給水温度センサーと、給水パイプに設けられた給水バルブと、出水パイプに設けられた出水バルブと、水位センサー、貯蔵水温度センサー、ヒーター部、給水温度センサー、給水バルブ及び出水バルブに連結されて、水槽内側の給水量及び出水量を制御して、貯蔵水の温度を制御する制御部とを含んでなる温水供給装置である。【選択図】図２
2006052941.tif 000002
【特許請求の範囲】
【請求項１】
一側には給水パイプが連結され、他側には出水パイプが連結され、内側には給水量を感知するための水位センサーが設けられ、また、貯蔵された水の温度を感知するための貯蔵水温度センサーが設けられた水槽と、
該水槽の内側に設けられて前記貯蔵水の温度を上昇させる加熱ヒーターと該加熱ヒーターに水を噴射する内部水噴射口が形成された水噴射パイプとを備えるヒーター部と、
前記給水パイプに設けられて給水される水の温度を感知する給水温度センサーと、
前記給水パイプに設けられて前記水槽への給水量を調節する給水バルブと、
前記出水パイプに設けられて出水量を調節する出水バルブと、
前記水位センサー、貯蔵水温度センサー、ヒーター部、給水温度センサー、給水バルブ及び出水バルブに連結されて、前記水槽の内側の給水量及び出水量を制御して、また、貯蔵水の温度を制御する制御部とを含んでなることを特徴とする温水供給装置。
【請求項２】
前記水噴射パイプは、直線的（linear）に形成されることを特徴とする請求項１記載の温水供給装置。
【請求項３】
前記水噴射パイプは、前記加熱ヒーターの内側に沿って形成されることを特徴とする請求項１記載の温水供給装置。
【請求項４】
前記内部水噴射口は、開口方向が前記加熱ヒーターに向かうことを特徴とする請求項１記載の温水供給装置。
【発明の詳細な説明】
【技術分野】
【０００１】
本発明は、温水供給装置に関し、より詳細には、ユーザーの温水使用の際、設定された温度で一定に温水を供給できる温水供給装置に関する。
【背景技術】
【０００２】
以下、添付の図面を参照しながら従来技術に対して説明する。
図１は、従来の温水供給装置（特許文献１）を説明するための図面である。
【０００３】
図１を参照すると、従来の温水供給装置は下段の入口が貯蔵タンク２と連結されると共に、上段の出口は取水部３と連結される加熱管１１及び該加熱管１１を貫通して設けられて貯蔵タンク２から供給される浄水を加熱する電熱線１２を有する鎖状ヒーター１と、前記加熱管１１と取水部３との間から分岐して貯蔵タンク２の上部空間に連結されるエアーベント１６と、前記加熱管１１の外部の一側に設けられる少なくとも１つの水温検出センサー４５と、前記電熱線１２に電源を供給すると共に、前記水温検出センサー４５の水温検出信号が伝達されて、温水動作ランプ４１及び温水完了ランプ４２の点滅を制御する制御部４と、そして、前記制御部４と電熱線１２の一側の端子との間に設けられて電熱線１２への電源供給を断続する温水稼動スイッチ４３とからなっている。図面中、未説明符号１５は取水部３と加熱管１１との間に介されたパイプである。
【０００４】
しかし、このような従来の温水供給装置は出水速度が速くて量が多い時には、順次に出水温度が低くなる短所があり、これによって、ユーザーの不快感を生じる問題がある。前記鎖状ヒーター１が連続的に加熱できる加熱容量が少量に過ぎないためである。
併せて、従来の温水供給装置は、ユーザーが所望の温度を設定できないので、常に同じ温度の温水だけが供給される短所がある。即ち、温度設定機能がなくて、また、鎖状ヒーターの作動時間を制御できないためである。
また、ユーザーが使用する機能（例えば、洗浄機能、ビデ機能）によって、出水する水の量が異なるが、このように、使われる水の量を予め電子的に制御できない短所がある。即ち、温水が単純に取水部レバー３の受動動作時のみに作動するためである。
【特許文献１】大韓民国特許公開番号２０００-００５５１７９号
【発明の開示】
【発明が解決しようとする課題】
【０００５】
本発明は、上述の従来の問題点を克服するためのものであって、ユーザーの温水使用の際、設定された温度で一定に温水を供給できる温水供給装置を提供することをその目的とする。
【課題を解決するための手段】
【０００６】
前記の目的の達成のための本発明は、一側には給水パイプ１１が連結され、他側には出水パイプ１２が連結され、内側には給水量を感知するための水位センサー１３が設けられ、また、貯蔵された水の温度を感知するための貯蔵水温度センサー１４が設けられた水槽１０と、該水槽１０の内側に設けられて前記貯蔵水の温度を上昇させる加熱ヒーター２１と、該加熱ヒーター２１に水を噴射する内部水噴射口２３が形成された水噴射パイプ２２を備えるヒーター部２０と、前記給水パイプ１１に設けられて給水される水の温度を感知する給水温度センサー３０と、前記給水パイプ１１に設けられて前記水槽１０への給水量を調節する給水バルブ４０と、前記出水パイプ１２に設けられて出水量を調節する出水バルブ５０と、前記水位センサー１３、貯蔵水温度センサー１４、ヒーター部２０、給水温度センサー３０、給水バルブ４０及び出水バルブ５０に連結されて前記水槽１０の内側の給水量及び出水量を制御して、また貯蔵水の温度を制御する制御部６０とを含んでなる温水供給装置を提供することを特徴とする。
前記水噴射パイプ２２は、直線的（linear）に形成され、または、前記加熱ヒー  ター２１の内側に沿って形成されることができる。
前記内部水噴射口２３は、開口方向が前記加熱ヒーター２１に向かうように形成される。
【発明の効果】
【０００７】
前記のように、本発明に係る温水供給装置は出水速度が速くて量が多くても水槽内に貯蔵された貯蔵水の温度が一定に制御されることにより、出水温度が常に一定しているという効果がある。
また、ユーザーが水槽の内部の温度を直接調節できることにより、所望の温度の水を得ることができる効果がある。
併せて、ユーザーが所定動作及び機能（例えば、洗浄機能、ビデ機能）を直接選択できることにより、その動作及び機能に適した量で給水及び出水動作がなされて、水の浪費を防いで、また、ヒーターによる電力消費率を最小化することができる効果がある。
【０００８】
以上の説明は、本発明に係る温水供給装置を実施するための一実施の形態に過ぎないものであって、本発明は、前記の実施の形態に限るのではなく、特許請求範囲で請求された本発明の要旨を外れない範囲で該本発明が属する技術分野で通常の知識を有する者であれば誰でも多様な変更実施が可能な範囲まで本発明の技術的精神があるというはずである。
【発明を実施するための最良の形態】
【０００９】
以下、本発明が属する技術分野で通常の知識を有する者が本発明を容易に実施できる程度で本発明の好ましい実施の形態を添付の図面を参照しながら詳細に説明すると次の通りである。
図２は、本発明の実施に係る温水供給装置を説明するための概略図である。
図１を参照すると、本発明に係る温水供給装置が図示されている。
【００１０】
図示のように、本発明に係る温水供給装置は、水の給水、出水及び貯蔵機能がある水槽１０と、該水槽１０内の水温を上昇させるヒーター部２０と、前記水槽１０に給水される水の温度を感知する給水温度センサー３０と、前記水槽１０に一定量の水を給水する給水バルブ４０と、前記水槽１０から一定量の出水量を調節する出水バルブ５０と、給水、出水及び水の温度を制御する制御部６０と、水槽１０に貯蔵された水の温度を設定する温度設定キー７０と、所定の動作（例えば、洗浄、ビデ）を設定する動作キー８０とからなっている。
【００１１】
まず、前記水槽１０は一側に給水パイプ１１が連結され、他側には出水パイプ１２が連結されている。また、前記水槽１０は内側に給水バルブ４０による給水量を感知するために水位センサー１３が設けられ、また、貯蔵された水の温度を感知するための貯蔵水温度センサー１４が設けられている。
【００１２】
前記ヒーター部２０は前記水槽１０の内側に設けられており、これは温度設定キー７０により設定された温度だけ貯蔵水の温度を調節する。勿論、このようなヒーター部２０は貯蔵水温度センサー１４により感知された温度が設定温度に至ると動作が中止される。前記ヒーター部２０は前記水槽１０内の水を加熱するための加熱ヒーター２１と、前記加熱ヒーター２１に水を噴射して噴射と同時に水が加熱できるようにする内部水噴射口２３を備える水噴射パイプ２２とを備える構造からなる。前記内部水噴射口２３は、開口方向が前記加熱ヒーター２１に向かうように形成されている。これは、前記内部水噴射口２３を通じて前記加熱ヒーター２１方向に水を噴射して、より速く水を加熱するためである。
【００１３】
前記給水温度センサー３０は前記給水パイプ１１に設けられており、これは給水する水の温度を感知して制御部６０に伝送する役割を果たす。
【００１４】
前記給水バルブ４０は、前記給水パイプ１１に設けられており、これは動作キー８０により設定された動作または機能に適した量で水槽１０に給水する役割を果たす。勿論、このような給水バルブ４０は水位センサー１３により設定された給水量に至ると動作が中止される。
【００１５】
前記出水バルブ５０は前記出水パイプ１２に設けられており、これは、動作キー８０により設定された動作または機能に適した量でノズル９０を通じて出水する役割を果たす。
前記制御部６０は、前記水位センサー１３、貯蔵水温度センサー１４、ヒーター部２０、給水温度センサー３０、給水バルブ４０及び出水バルブ５０に連結されている。このような制御部６０は前記給水温度センサー３０を用いて給水温度を感知して、また、動作キー８０により設定された量だけ給水バルブ４０を用いて水槽１０に給水して、併せて、水位センサー１３を用いて適した給水量を制御する。併せて、加熱ヒーター２１及び貯蔵水温度センサー１４を用いて、温度設定キー７０で設定された温度だけ水槽１０内の貯蔵水温度を調節する。最後に、前記制御部６０は出水バルブ５０、例えば、圧力切換バルブを用いて出水動作を制御する。
【００１６】
前記温度設定キー７０は前記制御部６０に連結されており、これにより、ユーザーが所定の温度を入力すると、この温度が制御部６０に所定の電気的信号で伝送され、前記制御部６０は加熱ヒーター２１と貯蔵水温度センサー１４とを用いて貯蔵水の温度が調節されるようにする。
【００１７】
前記動作キー８０も前記制御部６０に連結されており、これは、ユーザーが所定の動作を入力すると、これを制御部６０に所定の電気的信号で伝送し、前記制御部６０が給水バルブ４０と水位センサー１３とを用いて一定量の水が水槽１０に貯蔵されるようにすると共に、水槽１０内の貯蔵水温度が所定の温度になると、出水バルブ５０を制御して出水するようにする。
【００１８】
前記のような構成により、本発明に係る温水供給装置は次の通り作動する。
まず、ユーザーが温度設定キー７０を用いて所定温度を入力し、また、動作キー８０を用いて所定の動作が入力される。ここで、前記温度設定キー７０には予め所定の温度が基本値として入力されていることもできるので、温度設定キー７０の入力が省略されることもできる。
【００１９】
そうすると、制御部６０は、給水パイプ１１に設けられた給水バルブ４０を制御して、動作キー８０で入力されたことに適するように所定量の水が水槽１０に給水して貯蔵されるようにする。
【００２０】
この際、水槽１０内の水位センサー１３が給水する水の量を感知して制御部６０に所定の電気的信号に変換して出力することにより、制御部６０は正確な量の水が水槽１０に貯蔵されるようにする。即ち、制御部６０は水位センサー１３からの信号により設定された量だけ水が給水されると給水バルブ４０の動作を中止する。
【００２１】
また、この際、前記給水パイプ１１に設けられた給水温度センサー３０は給水温度を感知して制御部６０に所定の電気的信号で出力する。
【００２２】
そうすると、前記制御部６０は前記給水温度センサー３０から得た給水温度で温度設定キー７０により入力された所望の温度まで水を加熱するためのヒーター部２０の加熱ヒーター２１の発熱量を計算する。このような加熱ヒーター２１の発熱量は予め制御部にプログラムされている。
【００２３】
次に、前記制御部６０はヒーター部２０を制御する。即ち、水槽１０に設けられた貯蔵水温度センサー１４を用いて温度設定キー７０で入力した温度まで水の温度が上がるように加熱ヒーター２１を作動させる。勿論、前記貯蔵水温度センサー１４により設定された温度まで上昇すると前記制御部６０はヒーター部２０の動作を中止する。
【００２４】
上記のようにして、水槽１０の内側の貯蔵水の温度がユーザーにより設定された所定の温度まで上がると、制御部６０は、出水パイプ１２に設けられた出水バルブ５０を開放させることにより、ノズル９０を通じて所定温度及び所定量の水が出水するようにする。
また、前記水槽１０の内側の貯蔵水の使用により、貯蔵水の程度が減少すると、再度給水をすることになり、前記ヒーター部２０では前記水噴射パイプ２２の内部水噴射口２３を通じて前記加熱ヒーター２１方向に水を噴射して、ユーザーが前記温度設定キー７０で入力した温度まで水をより速く加熱して、本発明による温水供給装置の作動が完了する。
一方、図３ａ及び図３ｂは、本発明の実施の形態に係る温水供給装置のヒーター部の構成を説明するための平面図である。
【００２５】
図３ａ及び図３ｂを参照すると、本発明の実施の形態に係る温水供給装置のヒーター部２０は加熱ヒーター２１及び前記加熱ヒーター２１に水を噴射して噴射と同時に水が加熱できるようにする内部水噴射口２３を備える水噴射パイプ２２を備える構造からなる。
この際、前記水噴射パイプ２２は図３ａに示すように、直線的（linear）に形成され、前記加熱ヒーターの方向に形成された内部水噴射口２３を通じて、前記加熱ヒーター２１に水を噴射することにより、給水される水をより速くユーザーにより設定された温度に加熱することができる。
【００２６】
または、前記水噴射パイプ２２は、図３ｂに示すように、前記加熱ヒーター２１の内側に沿って形成されて、前記加熱ヒーター２１の方向に形成された内部水噴射口２３を通じて、前記加熱ヒーター２１に水を噴射することにより、給水する水をより速くユーザーにより設定された温度に加熱することができる。
前記のように、本発明の温水供給装置は、加熱ヒーター２１に直接水を噴射する内部水噴射口２３が形成された水噴射パイプ２２を備えることにより、出水速度が速くて量が多くても、前記水槽１０内に貯蔵された貯蔵水の温度を一定に制御できるので、出水温度を常に一定にすることができる。
【図面の簡単な説明】
【００２７】
【図１】従来の温水供給装置を説明するための図面である。
【図２】本発明の実施の形態に係る温水供給装置を説明するための概略図である。
【図３ａ】本発明の実施の形態に係る温水供給装置のヒーター部の構成を説明するための平面図である。
【図３ｂ】本発明の実施の形態に係る温水供給装置のヒーター部の構成を説明するための平面図である。
【符号の説明】
【００２８】
１０  水槽
１１  給水パイプ
１２  出水パイプ
１３  水位センサー
１４  貯蔵温度センサー
２０  ヒーター部
２１  加熱ヒーター
２２  水噴射パイプ
２３  内部水噴射口
３０  給水温度センサー
４０  給水バルブ
５０  出水バルブ
６０  制御部
７０  温度設定キー
８０  動作キー
９０  ノズル
【図１】
2006052941.tif 000003
【図２】
2006052941.tif 000004
【図３ａ】
2006052941.tif 000005
【図３ｂ】
2006052941.tif 000006